(57)【特許請求の範囲】
【請求項１】
機器毎の制御内容をシーン制御毎に記載したシーン制御ファイルを記憶するシーン制御ファイル記憶部と、
前記シーン制御ファイルに基づいて、前記機器の動作を制御する制御部と、
前記機器との間の通信を行う通信部と、
前記シーン制御ファイルに基づいて、シーン制御における制御対象機器を抽出する制御対象抽出部と、
前記制御対象抽出部で抽出された制御対象機器を、前記表示部に選択可能に表示させるための情報を生成する表示情報生成部と、を有し、
前記制御部は、前記シーン制御ファイルに記載された制御対象機器を、前記選択に基づいて、制御対象から除外する制御を行い、前記表示情報生成部は、前回選択したシーン制御の内容を表示させるための情報を生成することを特徴とする機器制御装置。
【請求項２】
前回選択したシーン制御の内容を前記シーン制御ファイルに反映することを特徴とする請求項１に記載の機器制御装置。
【請求項３】
前記表示情報生成部は、シーン制御を選択するための表示を行わせる情報を生成し、シーン制御の仮選択に応じて前記制御対象機器を選択するための表示を行わせる情報を生成し、前記制御対象機器を選択する操作に応じて、前記仮選択されたシーン制御の本選択を行うための表示を行わせる情報を生成することを特徴とする請求項１又は２に記載の機器制御装置。
【請求項４】
前記表示情報生成部は、シーン制御を選択するための表示と前記制御対象機器を選択するための表示とを一画面に表示させるための情報を生成し、シーン制御の選択制御対象機器の選択の後に、シーン制御を確定するためのボタンを表示させるための情報を生成することを特徴とする請求項１又は２に記載の機器制御装置。
【請求項５】
前記表示情報生成部は、前記制御対象機器を選択するための表示を、前記対象機器の使用頻度に基づいて表示させるための情報を生成することを特徴とする請求項１から４までのいずれか１項に記載の機器制御装置。
【請求項６】
機器毎の制御内容をシーン制御毎に記載したシーン制御ファイルに基づいて、シーン制御における制御対象機器を抽出する制御対象抽出ステップと、
前記制御対象抽出ステップで抽出された制御対象機器を、表示部に選択可能に表示させる表示制御ステップと、
前記シーン制御ファイルに記載された制御対象機器を、前記選択に基づいて、制御対象から除外する制御ステップと、を有し、
前記表示制御ステップにおいて、前回選択したシーン制御の内容を前記表示部に表示する制御を行うことを特徴とする機器制御方法。
【発明の詳細な説明】
【技術分野】
【０００１】
本発明は、複数の機器を一括制御することができる機器制御技術に関する。
【背景技術】
【０００２】
近年では、家電機器や住宅設備機器などの複数の機器などを一括して制御できるようにしたシステム（例えば、ＨＥＭＳ：home energy management system、或いはホームコントローラなどが含まれる。）が普及しつつある。例えば、下記特許文献１に記載のシステムでは、家庭内ネットワークに接続されるエアコンや照明灯などのネットワーク家電機器について、パーソナルコンピュータ（パソコン）により表示されている画面で操作をする。その操作に応じて、ＡＳＰサーバが具体的にネットワーク家電機器を動作制御する。パソコンの画面には、便利ボタンとして、「おでかけ」、「おやすみ」、「おかえり」などの生活シーンに対応したシーン（モード）ボタンが設けられている。例えば「おでかけ」ボタンを操作すると、これに応じてエアコンが停止されると共に、照明灯が消灯されるようになっている。このようにして、異なる種類のネットワーク家電機器をあるシーンとして一括して動作制御することができる。
【先行技術文献】
【特許文献】
【０００３】
【特許文献１】特開２００６−３５０８１９号公報
【発明の概要】
【発明が解決しようとする課題】
【０００４】
上記の技術では、複数の家電機器の動作を機器制御装置によって同時に設定する一括制御ボタンが押されると、予め登録された内容（以下、「シーン」と称する。）に従ってシーンにふさわしい機器の動作が行われるようになっている。
【０００５】
しかしながら、特許文献１に記載の技術では、シーン選択画面において、あるシーンボタン、例えば「おでかけ」ボタンを操作すると、「おでかけ」シーンによる制御が行われる。
【０００６】
一方、シーンの登録設定に移行するための画面からは、シーン毎の登録設定画面へ移行することができ、この登録設定画面では、予めサーバに登録されているネットワーク家電機器のリストを登録設定画面として表示させるとともに、それらの動作設定についての「ＯＮ」、「ＯＦＦ」ボタンが設定されている。従って、「おでかけ」のシーン設定においては、設定条件等を変更するためには、そのたびに、シーン選択画面とは異なるシーンの登録設定用の画面に移行させて、それぞれのシーンの制御条件等を際設定する必要があり、操作が煩雑になるとともに、シーン選択時におけるユーザによる変更処理が難しいという問題があった。
【０００７】
また、ユーザ毎に、カスタマイズされたシーン制御を行うための操作が煩雑になるという問題があった。
【０００８】
本発明は、家電機器の一括制御の際の、シーン制御への移行時における、ユーザによる制御条件の変更処理を簡単にすることを目的とする。また、本発明は、ユーザに合わせてカスタマイズされたシーン制御を行うための操作を簡単にして使い勝手の良い機器制御技術を提供することを目的とする。
【課題を解決するための手段】
【０００９】
本発明の一観点によれば、機器毎の制御内容をシーン制御毎に記載したシーン制御ファイルを記憶するシーン制御ファイル記憶部と、前記シーン制御ファイルに基づいて、前記機器の動作を制御する制御部と、表示部と、前記シーン制御ファイルに基づいて、シーン制御における制御対象機器を抽出する制御対象抽出部と、前記制御対象抽出部で抽出された制御対象機器を、前記表示部に選択可能に表示させる表示制御部と、を有し、前記制御部は、前記シーン制御ファイルに記載された制御対象機器を、前記選択に基づいて、制御対象から除外する制御を行うことを特徴とする機器制御装置が提供される。
【００１０】
さらに、前記機器との間の通信を行う通信部が備えられていても良い。これにより、制御対象から除外された機器は、現在の状態を維持する。
【００１１】
前記表示制御部は、シーン制御を選択するための表示と、前記制御対象機器を選択するための表示と、を前記表示部の一画面に表示する制御を行うことが好ましい。一画面に表示することで、操作がわかりやすくなる。前記表示制御部は、シーン制御を選択するための表示と、前記制御対象機器を選択するための表示と、を前記表示部の別画面に表示する制御を行っても良い。前記表示制御部は、シーン制御を選択するための画面において、前回選択したシーン制御の内容を前記表示部に表示する制御を行うことが好ましい。前記制御部は、前回選択したシーン制御の内容を前記シーン制御ファイルに反映することが好ましい。前回の制御内容が、ユーザの好みの内容と最も近い可能性が高いからである。この際、前記制御部は、前回選択したシーン制御の内容を一時的にメモリに記憶させるようにしても良い。前記表示制御部は、シーン制御の仮選択に応じて前記制御対象機器を選択するための表示を行い、前記制御対象機器を選択する操作に応じて、前記仮選択されたシーン制御の本選択を行うための表示を前記表示部に表示する制御を行うようにしても良い。例えば、シーン制御の選択が決定されておらず、仮選択状態において、制御対象機器を選択するための表示を行って確認した後に、本選択を行うための表示に基づいて本選択をすることで、シーン制御の制御状態を良く確認した後にシーン制御に移行させることができる。
【００１２】
また、前記表示制御部は、シーン制御を選択するための表示と前記制御対象機器を選択するための表示とを一画面に行い、シーン制御の選択制御対象機器の選択の後に、シーン制御を確定するためのボタン表示を前記表示部に表示する制御を行うようにしても良い。このように、シーン制御のカスタマイズに関する操作は、様々な態様のいずれを選択することもできる。
【００１３】
また、前記表示制御部は、前記制御対象機器を選択するための表示を、前記対象機器の使用頻度に基づいて表示する制御を行っても良い。使用頻度の低い機器を優先的に表示させれば、非制御対象機器を早く選択することができ、使用頻度の高い機器を優先的に表示させれば、制御対象機器を早く選択することができる。
【００１４】
前記表示制御部は、シーン制御を選択する操作に応じて、選択されたシーン制御に基づく前記制御対象機器を選択するための表示を行い、前記制御部は前記選択制御対象機器の選択を反映させた機器制御を行うようにしても良い。このように、まず、シーン制御を決めてから、その制御対象機器の選択・非選択を行っても良い。
【００１５】
また、前記表示制御部は、部屋選択ボタンを表示させ、前記制御部は、選択された部屋における機器制御を行うことが好ましい。
【００１６】
また、本発明は、部屋毎の機器の制御内容を記載した部屋別シーン制御ファイルを記憶するシーン制御ファイル記憶部と、前記シーン制御ファイルに基づいて、前記部屋毎の機器の動作を制御する制御部と、表示部と、前記シーン制御ファイルに基づいて、シーン制御における制御対象機器を抽出する制御対象抽出部と、前記制御対象抽出部で抽出された制御対象機器を、前記表示部に選択可能に表示させる表示制御部と、を有し、前記制御部は、前記部屋別シーン制御ファイルに記載された制御対象機器を、前記選択に基づいて、制御対象から除外する制御を行うことを特徴とする機器制御装置である。
【００１７】
機器との通信を行う通信部を設けるのが一般的である。このように、部屋別に、制御対象機器の選択・非選択のカスタマイズを行うようにしても良い。
【００１８】
本発明の他の観点によれば、機器毎の制御内容をシーン制御毎に記載したシーン制御ファイルを記憶するシーン制御ファイル記憶部と、前記シーン制御ファイルに基づいて、前記機器の動作を制御する制御部と、表示部を有し、前記シーン制御ファイルに基づいて、シーン制御における制御対象機器を抽出する制御対象抽出ステップと、前記制御対象抽出ステップで抽出された制御対象機器を、前記表示部に選択可能に表示させる表示制御ステップと、前記シーン制御ファイルに記載された制御対象機器を、前記選択に基づいて、制御対象から除外する制御ステップを有することを特徴とする機器制御方法が提供される。
【００１９】
本発明は、上記機器制御方法をコンピュータに実行させるためのプログラムであっても良く、当該プログラムを記録するコンピュータ読み取り可能な記録媒体であっても良い。
【発明の効果】
【００２０】
本発明によれば、家電機器の一括制御の際の、シーン制御への移行時における、ユーザによる制御条件の変更処理を簡単にすることができる。また、本発明によれば、ユーザに合わせてカスタマイズされたシーン制御を行うための操作を簡明にして使い勝手の良い機器制御技術を提供することができる。
【図面の簡単な説明】
【００２１】
【図１】本発明の実施の形態による家電制御システムの一例であって、家屋内における家電機器の配置例を示す平面図である。
【図２】家電制御システムの一構成例を示す機能ブロック図であり、図１の家電機器の配置に合わせた例を示した図である。
【図３】本発明の第１の実施の形態による家電制御処理の流れを示すフローチャート図である。
【図４】シーン選択画面表示の一例を示す図である。
【図５】シーン選択画面表示に非制御対象家電選択ボタンを表示させて表示例を示す図である。
【図６】シーン選択画面表示の一例を示す図であり、シーン制御への移行を促す実行ボタンを備えた表示例を示す図である。
【図７】本発明の第２の実施の形態による家電制御処理の流れを示すフローチャート図である。
【図８】本発明の第３の実施の形態による家電制御処理の流れを示すフローチャート図である。
【図９】制御対象となる部屋の選択画面の表示例を示す図である。
【図１０】本発明の第４の実施の形態による家電制御処理の流れを示すフローチャート図である。
【図１１】本発明の第４の実施の形態による家電制御処理における制御対象となる部屋の家電選択画面の表示例を示す図である。
【発明を実施するための形態】
【００２２】
本明細書において、シーンとは、機器を動作させる条件が定めされている、その条件に従って機器の動作が制御される方法のことを指す。例えば、読書によるシーン制御とは、一般的に、読書に適した条件で機器を一括制御して運転させるための制御方法に基づく機器の運転のことである。あるシーンによる機器の動作とは、あるシーンとして設定されている運転条件で機器を動作させることを意味する。機器の運転条件とは、機器を動作させるための設定条件を言う。
【００２３】
以下に、本発明の実施の形態による機器制御技術について、図面を参照しながら説明を行う。図１は、本発明の一実施の形態による家電制御システムの一例を説明するための図であって、家屋Ｈ内における家電機器等の配置例を示す平面図である。図１に示す家屋Ｈでは、リビングルーム（Ｒ１）に、照明Ｌ１、エアコン装置ＡＣ１、テレビジョン受信装置（以下、テレビと称する。）Ｔ１、家電制御装置ＣＴが設置されている。また、第２の居室（Ｒ２）には、照明Ｌ２、エアコンＡＣ２、テレビＴ２が、第３の居室（Ｒ３）には、照明Ｌ３、エアコンＡＣ３、テレビＴ３が、第４の居室（Ｒ４）には、照明Ｌ４、エアコンＡＣ４、テレビＴ４が設置されている。照明Ｌ１〜４まで、エアコンＡＣ１〜４まで、及びテレビＴ１からＴ４までは、家電制御装置ＣＴにより一括制御することができる。さらに、パーソナルコンピュータ（ＰＣ１、ＰＣ２、…）等がそれぞれの部屋に配置されている。これも、一括制御の対象となりうる。
【００２４】
図２は、上記の家電制御システムＸの一構成例を示す機能ブロック図であり、図１の家電機器の配置に合わせた例を示している。図２に示すように、本実施の形態による家電制御システムＸは、制御装置（コントローラ）ＣＴと、エアコンＡＣ１、ＡＣ２、…と、照明Ｌ１、Ｌ２、…と、テレビＴ１、Ｔ２、…と、ＰＣ１、ＰＣ２、…と、を有している。
【００２５】
制御装置（コントローラ）ＣＴは、ＣＰＵ（制御部）１と、ＲＡＭ（主記憶装置）３と、ＲＯＭ（不揮発性メモリ）５と、タイマ７と、操作部（ＧＵＩ）１１と、表示部１３と、通信部１５と、を有している。通信部１５は、エアコンＡＣ１、ＡＣ２、…と、照明Ｌ１、Ｌ２、…と、テレビＴ１、Ｔ２、…と、ＰＣ１、ＰＣ２、…、のそれぞれのインターフェイス部（Ｉ／Ｆ）を介して、有線又は無線により制御される。すなわち、制御信号が制御装置ＣＴから各家電機器に送られ、各家電機器の状態等に関する情報が制御装置ＣＴに送られる。制御内容は、部屋内又は屋外や家電機器に取り付けられた温度センサ、湿度センサ、等の情報に依存させることもできる。制御装置ＣＴは、例えば、備え付けの制御ボタン（操作部１１）により操作可能であるが、例えば、リモコン装置ＲＣにより操作可能であっても良く、タブレット端末や携帯端末などにより、外部から遠隔操作可能となっていても良い。制御装置ＣＴ自体又はその一部の機能が、リモコン装置ＲＣや端末内に設けられていても良い。
【００２６】
ＲＯＭ５には、後述する、シーン制御ファイル５ｂが格納されている。また、ＲＯＭ５には、家電制御システムの制御プログラム記憶部５ａと、表示部１３への表示の制御を行う表示制御部５ｃと、各シーンにおいて制御対象となる家電機器や部屋等を抽出する制御対象抽出部５ｄとしてＣＰＵ１を機能させるためのプログラム、各シーンにおいて選択された非制御対象機器のＩＤ等を記憶する非制御対象記憶部５ｅなどとして機能させるためのプログラムが設けられている。
【００２７】
【表１】
0005908253.tif 000002
【００２８】
表１は、シーン制御ファイル５ｂの内容の例を示す図である。シーン制御ファイル５ｂは、機器毎の制御内容を動作シーン毎に記載したファイルである。照明Ｌ１、Ｌ２、…として、ＬＥＤ照明を用い、エアコンＡＣ１、ＡＣ２、…としてエコ運転（省エネ運転）が可能なエアコン装置を用い、テレビＴ１、Ｔ２、…として、デジタル放送受信装置（ＴＶ）を用いている（表示輝度、音量が調整できる）。さらに、ＰＣのオンオフ制御が可能である。
【００２９】
表１に示すシーン制御ファイル５ｂには、食事シーン、映画（鑑賞）シーン、読書シーン、退室シーン、起床シーン、就寝シーン、省エネシーン等がある。それぞれのシーンは、ユーザがそのシーンに対応する動作を行った場合に適した環境を家電により作り出すものであり、それぞれにＬＥＤ照明の動作、エアコン装置の動作、テレビの動作、ＰＣの動作等がデフォルトとして決められているのが一般的である。
【００３０】
ＬＥＤ照明は、例えば、明るさを１０段階で、色も１０段階で、表している。また、制御内容としては、時刻又は時間に依存してＯＮ／ＯＦＦしたり、明るさ等を時間に依存させて変化させたりするような制御内容が記述されている。エアコン装置は、手動設定による運転、自動運転、エコ自動運転（室外や室内の温度に応じて省エネが可能な自動運転）などがあり、ＴＶは、表示輝度（０〜１００％）、音量（０〜１００％）などの制御内容が記述されている。家全体、指定の部屋の一括シーン制御を行うことができるようになっている。ＰＣは、ＯＮ、ＯＦＦ等の制御が可能である。或いは、メールの送受信などの細かい制御も可能である。
【００３１】
（第１の実施の形態）
以下に、本発明の第１の実施の形態による機器制御技術について説明する。第１の実施の形態では、例えば各部屋毎の一括制御であって、非制御対象家電を選択した後に、シーン選択操作を行う例である。
【００３２】
図３は、本実施の形態による家電制御処理の流れを示すフローチャート図である。図４から図６までは、ある処理を行う際の、表示部１３（或いは、リモコンＲＣの表示部等）に表示されるシーン制御に関連する画面表示例を示す図である。
【００３３】
まず、制御装置ＣＴの主電源ボタンなどを押す操作などにより処理が開始されると（ステップＳ１：ＳＴＲＡＴ）、制御プログラム記憶部５ａに記憶された制御プログラムがＲＯＭ５からＲＡＭ３に読み込まれ、制御処理が開始される。
【００３４】
ステップＳ２において、表１に示すようなシーン制御ファイル５ｂが読み出され、図４に示すようなシーン選択画面が表示される。ここでは、リビングルーム（Ｒ１）が対象である旨の表示１３と、シーン選択ボタンとして、読書（シーン）２７ａ、映画鑑賞２７ｂ、食事２７ｃ、退室２７ｄ、めざまし２７ｅ、就寝２７ｆ、省エネ２７ｇなどのシーン選択ボタンがＧＵＩなどとして表示される。また、部屋選択ボタン１５により、図１の一括シーン制御の対象とする部屋を選択することができる。ここで、例えば、図５に示すように、所望の１シーンである食事シーンのボタン２７ｃが仮選択状態（例えば、シーンボタンが点灯するなどの選択前の状態）を示す表示によりユーザに報知することができる。仮選択状態へは、ボタンを１回だけ押した場合に移行するようにしても良いし、仮選択の切換ボタンを画面内に設けても良い。仮選択状態は、例えばシーンボタンを押すことによる本選択（本決定）されるようにしても良い。
【００３５】
仮選択状態において、ステップＳ３では、制御対象抽出部５ｄが、食事シーンにおいて制御対象となる制御対象家電機器名を表１のシーン制御ファイル５ｂから抽出する。
【００３６】
尚、シーン選択画面を表示させた場合に、前回選択したシーンが選択されるようにして、そのシーンの制御対象家電のボタンを表示させるようにしても良い。
【００３７】
或いは、制御対象家電を全て表示させても良いし、この際、シーンによって選択可能な家電だけをアクティブな状態にしても良い。
【００３８】
ここで、ステップＳ２・Ｓ３におけるシーン選択画面での対象家電表示、すなわち、仮選択されているシーンは、例えば、デフォルトで決まっているシーン制御（例えば省エネなど）になるようにしても良いし、現在制御が行われているシーンとしても良いし、１回だけボタンを押すことで仮選択になるようにしても良い。
【００３９】
次いで、ステップＳ４において、ステップＳ３の処理で制御対象抽出部５ｄが抽出した家電について非制御対象家電選択ボタンを作成し、表示制御部５ｃが、非制御対象家電選択ボタン（例えば、符号３１ａ・３１ｂ・３１ｃで示される）を画面表示させる。
【００４０】
次いで、ステップＳ５において、非制御対象家電選択ボタン３１ａ・３１ｂ・３１ｃの選択操作の有無を判定し、ＹＥＳであれば、ステップＳ６において、非制御対象家電の制御を表１の制御対象から除外し、現状の状態を維持させるように制御プログラムがシーン制御ファイル５ｂを例えば一時的に書き換える。非制御対象家電記憶部５ｅに記憶させても良い。尚、書き換え処理は、一時的でなく、シーン制御ファイル自体を上書き等により書き換えても良い。
【００４１】
次いで、ステップＳ５でＮｏの場合とともに、ステップＳ７に進み、実行を行う操作が行われまで待つ。実行を行う操作とは、例えば、図５で家電ボタンを選択した後に、例えば、同じシーンボタンである食事シーンのボタン２７ｃを押すことで、すぐに、非制御対象家電選択ボタン３１ａ・３１ｂ・３１ｃの選択操作を反映した一括制御をすぐに実行するようにしても良く、実行するか否かをユーザに問い合わせる報知と、その後の実行の選択操作に基づく対話型の処理を行わせることができる。
【００４２】
或いは、図６に示すように、画面上に設けられている実行ボタン３５を押すことにより非制御対象家電選択ボタン３１ａ・３１ｂ・３１ｃの選択操作を反映した一括制御を実行するようにしても良く、処理の手順や方法は周知の技術を用いることができる。
【００４３】
この際、シーン制御画面とは別画面に実行ボタン等を設けても良いし、同じ画面に設けても良い。そして、処理が終了する（ステップＳ９：ＥＮＤ）。
【００４４】
以上のように、本実施の形態による家電制御技術によれば、シーン選択画面において、シーン毎に制御対象としない家電又は制御対象としない家電を選択しやすくなるため、一括制御における制御対象家電の変更が容易になる。また、変更をシーン制御ファイル５ｂに反映させると、ユーザ向けにカスタマイズされた適切なシーン制御ファイル５ｂを作成することができる。制御装置ＣＴからの制御信号は、選択したシーン制御ファイル５ｂのうち、制御対象家電の変更情報（差分）を知らせるものでも良く、変更した後の制御情報でも良い。
【００４５】
尚、非制御対象家電選択ボタンの表示に関しては、制御対象家電が多い場合には、１画面に表示できない場合がある。このような場合には、優先順位の高い順番に表示させるようにすることができるが、この場合の優先順位としては、そのシーン制御で良く用いられる家電を優先的に表示させる方法でも良く、そのシーン制御で用いられる頻度が低い家電を優先的に表示させるようにしても良い。後者であれば、選択しない家電である可能性が高い。また、本実施の形態では、ボタンを押した家電が制御対象から外れるようにしたが、ボタンを押した家電を制御対象として残すようにしても良い。その他、制御に関する周知の技術を適宜適用することが可能である。
【００４６】
また、シーンを仮選択せずに、シーンに依存せずに、制御対象家電のボタン表示を行って、制御対象家電を決めた後に、シーンを選択してシーン制御を行うようにしても良い。この場合には、シーンに基づく制御対象家電の抽出処理を行う必要がない。
【００４７】
（第２の実施の形態）
次に、本発明の第２の実施の形態について説明を行う。第２の実施の形態では、例えば各部屋毎の一括制御であって、シーン選択操作をした後に、制御対象家電の選択、非選択操作を行う例である。
【００４８】
図７は、本実施の形態による家電制御処理の流れの一例を示すフローチャート図である。図３と同様の処理については説明を省略する。図７に示すように、処理を開始すると（ステップＳ１１：ＳＴＡＲＴ）、ステップＳ１２において、シーン選択画面を表示させる（図４参照）。次いで、ステップＳ１３において、シーン選択ボタンのいずれかが押されると（ＹＥＳ）、ステップＳ１４において、ステップＳ１３において選択されたシーン制御における制御対象家電を制御対象抽出部５ｄが抽出して、表示制御部５ｃが図４の画面に制御対象家電の選択ボタンを表示させる（図５参照）。この時点では、食事シーンに決定されている。選択ボタンの優先表示に関しては、第１の実施の形態と同様で良い。
【００４９】
次いで、ステップＳ１６において、制御対象家電ボタンが押される操作を検出し（ＹＥＳ）、ステップＳ１７で、選択された家電にのみシーン制御ファイル５ｂの制御信号を送信し、選択されなかった家電は現状を維持する。そして、処理が終了する（ステップＳ１８：ＥＮＤ）。
【００５０】
この場合において、家電の選択ボタンを制御開始ボタンとしても良いし、さらに、選択ボタンとは別途設けられている実行ボタンを押すことで制御が開始されるようにしても良い。また、ボタンを押した家電を制御の非対象家電とすることもできる。
【００５１】
以上のように、本実施の形態による家電制御技術によれば、シーン選択画面において、シーンを選択した後に、そのシーン毎に制御対象とする家電又は制御対象としない家電を選択しやすくなるため、一括制御における制御対象家電の変更が容易になる。また、変更をシーン制御ファイル５ｂに反映させると、ユーザ向けにカスタマイズされた適切なシーン制御ファイル５ｂを作成することができる。
【００５２】
（第３の実施の形態）
本発明の第３の実施の形態は、制御対象家電を選択する前に、制御対象となる部屋を選択することを特徴とする。図８は、本実施の形態による家電制御技術の流れを示すフローチャート図であり、図９は、部屋選択画面表示の一例を示す図である。まず、ステップＳ２１において処理を開始し（ＳＴＡＲＴ）、ステップＳ２２において、図９に示す部屋選択画面表示を表１のようなシーン制御ファイル５ｂに基づいて作成する。この表示では、図１に示す例における各部屋又は全居室、全部屋、などの選択ボタンが設けられており、これらのいずれかを選択することで（ステップＳ２３）、ステップＳ２４において、選択された部屋についてステップＳ２又はステップＳ１２の処理が行われる（図４の表示に切り替わる）。
【００５３】
本実施の形態においては、制御対象家電の選択をする前に、制御を行う部屋を特定することができるため、シーン制御をよりきめ細かくすることが可能となる。すなわち、制御対象とする部屋とシーン制御対象家電とのＡＮＤとなる家電を選択して画面表示させ、そこから制御する家電の選択することができる。
【００５４】
（第４の実施の形態）
本発明の第４の実施の形態は、部屋の選択に応じて、選択された部屋の家電を抽出して、制御を行うものである。よりカスタマイズされた一括制御処理である。図１０は、本実施の形態による家電制御処理の流れを示すフローチャート図である。図１０に示すように、まず処理を開始し（ステップＳ３１：ＳＴＲＡＴ）、ステップＳ３２において、図９に示す部屋選択画面表示が行われる。ここで、部屋選択がなされると（ステップＳ３３でＹＥＳ）、ステップＳ３４で、選択された部屋の家電を抽出する。図１１は、本実施の形態による家電制御処理における制御対象となる部屋の家電選択画面の表示例を示す図であり、リビングが選択された状態を示す図である。
【００５５】
ステップＳ３５において、抽出され表示された制御対象家電のボタンが、エアコン（ＡＣ１）１８ａ、ＴＶ（ＴＶ１）１８ｂ、照明（Ｌ１）１８ｃのように表示される。
【００５６】
ステップＳ３６において、制御対象家電のボタンが押されると（ＹＥＳ）、ステップＳ３７で、選択された家電の制御信号がその家電に送信される（ステップＳ３７）。このようにして、選択された部屋の制御対象家電のみを選択して制御することができる。そして、処理が終了する（ステップＳ３８：ＥＮＤ）。
【００５７】
以上のように、本実施の形態による機器制御技術によれば、家電機器の一括制御の際の、シーン制御への移行時における、ユーザによる制御条件の変更処理を簡単にすることができる。また、本発明によれば、ユーザに合わせたカスタマイズされたシーン制御を行うための操作を簡単にして使い勝手の良い機器制御技術を提供することができる。
【００５８】
上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００５９】
例えば、家電制御装置、家電機器などは、少なくともその一部が、ソーラ発電システムによって駆動されるものであっても良い。また、制御対象抽出部が抽出する家電等は、家電制御装置と接続されたタイマにおける時間や各種のセンサによってセンシングされた気温、湿度、季節などに依存して、表示の優先順位が変更されるようにしても良い。
【００６０】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００６１】
また、「コンピュータシステム」は、ＷＷＷシステムを利用している場合であれば、ホームページ提供環境（あるいは表示環境）も含むものとする。
【００６２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【００６３】
本発明は、家電制御装置に利用可能である。
【符号の説明】
【００６４】
Ｘ…家電制御システム、Ｈ…家屋、Ｒ…部屋、Ｌ…照明装置、ＡＣ…エアコン装置、ＣＴ…制御装置、１…ＣＰＵ（制御部）、３…ＲＡＭ（主記憶装置）、５…ＲＯＭ（不揮発性メモリ）、５ａ…制御プログラム記憶部、５ｂ…シーン制御ファイル、５ｃ…表示制御部、５ｄ…制御対象抽出部、５ｅ…非制御対象記憶部、７…タイマ、１１…操作部（ＧＵＩ）、１３…表示部、１５…通信部、１７…部屋選択ボタン、１８…家電選択ボタン、２７…シーン制御選択ボタン、３１…家電選択ボタン、３５…実行ボタン。
【図１】
0005908253.tif 000003
【図２】
0005908253.tif 000004
【図３】
0005908253.tif 000005
【図４】
0005908253.tif 000006
【図５】
0005908253.tif 000007
【図６】
0005908253.tif 000008
【図７】
0005908253.tif 000009
【図８】
0005908253.tif 000010
【図９】
0005908253.tif 000011
【図１０】
0005908253.tif 000012
【図１１】
0005908253.tif 000013